(57)【要約】【課題】装置側リモコンを用いてデジタルビデオカメラの動作を指示するときに、デジタルビデオカメラに指示を与えることが可能なキースイッチの把握を容易にする。【解決手段】装置側リモコン９に設けられた複数のキースイッチのうち、コマンドの一覧に対応するキースイッチ（デジタルビデオカメラ（１または１００）が受け付け可能な指示に対応するキースイッチ）である一覧対応キースイッチのみを、装置側リモコン９のキースイッチの配置に対応する位置関係でもって表示装置１１に表示させている。【選択図】  図１
2005176059.tif 000002
【特許請求の範囲】
【請求項１】
通信経路を介して接続されたデジタルビデオカメラから、デジタルビデオカメラが受け付け可能なコマンドの一覧を取得する情報取得手段と、
カメラ制御モードとなるときには、装置本体の動作に対する指示が入力されるリモートコントローラである装置側リモコンに入力された指示をデジタルビデオカメラに対する指示であると見なして、装置側リモコンに入力された指示に対応する動作をデジタルビデオカメラに行わせるカメラ制御手段とを備えたＤＶＤレコーダにおいて、
装置側リモコンに設けられた複数のキースイッチのうちの前記コマンドの一覧に対応するキースイッチである一覧対応キースイッチのみを、装置側リモコンのキースイッチの配置に対応する位置関係でもって表示装置に表示させる表示制御手段と、
装置側リモコンに設けられた表示切換キーとを備え、
表示制御手段は、一覧対応キースイッチを表示装置に表示させているときに表示切換キーが操作されると一覧対応キースイッチの表示を停止させ、且つ、一覧対応キースイッチの表示を停止させているときに、装置側リモコンのキースイッチのうち、一覧対応キースイッチに属さないキースイッチが操作されると一覧対応キースイッチの表示を行わせることを特徴とするＤＶＤレコーダ。
【請求項２】
通信経路を介して接続されたデジタルビデオカメラから、デジタルビデオカメラが受け付け可能なコマンドの一覧を取得する情報取得手段と、
カメラ制御モードとなるときには、装置本体の動作に対する指示が入力されるリモートコントローラである装置側リモコンに入力された指示をデジタルビデオカメラに対する指示であると見なして、装置側リモコンに入力された指示に対応する動作をデジタルビデオカメラに行わせるカメラ制御手段とを備えた映像信号記録装置において、
装置側リモコンに設けられた複数のキースイッチのうちの前記コマンドの一覧に対応するキースイッチである一覧対応キースイッチのみを、装置側リモコンのキースイッチの配置に対応する位置関係でもって表示装置に表示させる表示制御手段を備えたことを特徴とする映像信号記録装置。
【請求項３】
装置側リモコンに設けられた表示切換キーを備え、
表示制御手段は、一覧対応キースイッチを表示装置に表示させているときに表示切換キーが操作されると一覧対応キースイッチの表示を停止させることを特徴とする請求項２記載の映像信号記録装置。
【請求項４】
装置側リモコンに設けられた表示切換キーを備え、
表示制御手段は、一覧対応キースイッチを表示装置に表示させているときに表示切換キーが操作されると一覧対応キースイッチの表示サイズを小さくすることを特徴とする請求項３記載の映像信号記録装置。
【請求項５】
表示制御手段は、一覧対応キースイッチの表示サイズを小さくしているときに、装置側リモコンのキースイッチのうち、一覧対応キースイッチに属さないキースイッチが操作されると、一覧対応キースイッチの表示サイズを大きくすることを特徴とする請求項４記載の映像信号記録装置。
【請求項６】
装置側リモコンに設けられた表示切換キーを備え、
表示制御手段は、一覧対応キースイッチを表示装置に表示させているときに表示切換キーが操作されると、一覧対応キースイッチの表示を背景が透過する透過表示とすることを特徴とする請求項２記載の映像信号記録装置。
【請求項７】
表示制御手段は、一覧対応キースイッチの表示を透過表示としているときに、装置側リモコンのキースイッチのうち、一覧対応キースイッチに属さないキースイッチが操作されると、一覧対応キースイッチの表示を背景が透過しない表示に変更することを特徴とする請求項６記載の映像信号記録装置。
【発明の詳細な説明】
【技術分野】
【０００１】
本発明は、装置本体の動作に対する指示が入力されるリモートコントローラである装置側リモコンに入力された指示をデジタルビデオカメラに対する指示であると見なして、装置側リモコンに入力された指示に対応する動作をデジタルビデオカメラに行わせるＤＶＤレコーダおよび映像信号記録装置に関するものである。
【背景技術】
【０００２】
デジタルビデオカメラにセットされたデジタルビデオテープに記録された映像信号を、ＤＶＤ−Ｒ等の、ＤＶＤ規格の映像信号を記録可能な光ディスクに記録する場合、デジタルビデオカメラとＤＶＤレコーダとは、ＩＥＥＥ１３９４の規格に従って接続されることが多い。このように、ＡＶ機器の接続に使用されるＩＥＥＥ１３９４の規格では、デジタルビデオカメラの側からＤＶＤレコーダに側に対して、受け付け可能なコマンドの一覧を出力するようになっている。従って、ＤＶＤレコーダの側から、コマンドの一覧に従い、デジタルビデオカメラの動作を制御することが可能になる。このため、ＤＶＤレコーダの側では、デジタルビデオカメラを制御するモードとなる場合、ＤＶＤレコーダのために設けられたリモートコントローラを、デジタルビデオカメラのためのリモートコントローラであると見なし、リモートコントローラのキースイッチが操作されると、操作されたキースイッチに対応した動作をデジタルビデオカメラに実行させている（第１の従来技術とする）。
【０００３】
また、以下に示す技術が提案されている（第２の従来技術とする）。すなわち、この技術において、テレビ受像機には、レーザディスク再生装置、ビデオカセットレコーダ、８ｍｍビデオカセットレコーダの３つの装置が、映像信号用の信号線と制御用の信号線との２種の信号線を介して接続されているとする。また、テレビ受像機の側では、画面が、３つの子画面と１つの親画面とに分割表示されているとする。また、分割表示された画面のうち、３つの子画面のそれぞれが、レーザディスク再生装置、ビデオカセットレコーダ、８ｍｍビデオカセットレコーダのそれぞれに対応付けられているとする。また、親画面には、リモートコントローラを示す画像（以下では、リモコン画像と称する）が表示されているとする。このような状態にあるときに、リモコン画像を、例えば、レーザディスク再生装置に対応付けられた子画面に移動すると、リモコン画像は、レーザディスク再生装置のためのリモートコントローラとして機能する。また、ビデオカセットレコーダに対応付けられた子画面に移動すると、リモコン画像は、ビデオカセットレコーダのためのリモートコントローラとして機能する。従って、リモコン画像をビデオカセットレコーダに対応付けられた子画面に移動した状態において、リモコン画像中の再生キーを、カーソルを用いて操作すると、ビデオカセットレコーダが再生を開始するように制御が行われる（例えば、特許文献１参照）。
【０００４】
また、以下に示す技術が提案されている（第３の従来技術とする）。すなわち、この技術においては、複数のＡＶ機器がホストコンピュータに接続されるようになっている。また、ホストコンピュータと通信が可能な携帯型情報通信機が設けられるとともに、携帯型情報通信機においては、タッチパネル等の入力装置が設けられている。そして、携帯型情報通信機がシステムとしての動作が可能な範囲にあるときには、携帯型情報通信機には、ＧＵＩリモコン画面が表示される。このため、ユーザは、ＧＵＩリモコン画面を見ながらタッチパネルを操作することにより、ホストコンピュータを介して、複数のＡＶ機器のそれぞれの動作を指示することができるようになっている（例えば、特許文献２参照）。
【特許文献１】特開平５−２５２４６２号公報
【特許文献２】特開平１１−１１０１０９号公報
【発明の開示】
【発明が解決しようとする課題】
【０００５】
しかしながら、第１の従来技術を用いる場合には、以下に示す問題を生じていた。すなわち、ＤＶＤレコーダに接続されるデジタルビデオカメラがＡ社の製品である場合に、デジタルビデオカメラから出力されるコマンドの一覧と、Ｂ社の製品である場合に、デジタルビデオカメラから出力されるコマンドの一覧とは、互いに異なる内容となることが多い。つまり、再生、速送り（ＦＦ）、速戻し（ＲＥＶ）、停止、等のように、基本的な機能を示すコマンドは、Ａ社の製品のコマンドの一覧とＢ社の製品のコマンドの一覧との双方に含まれるのが常であるが、例えば、一時停止、といったように、基本的な機能とは異なる機能を示すコマンドについては、Ａ社の製品のコマンドの一覧には含まれるが、Ｂ社の製品のコマンドの一覧には含まれない、というような事態が生じる。
【０００６】
このような場合、接続されたデジタルビデオカメラがＡ社の製品であるときに、一時停止キーを操作すると、一時停止キーの操作が有効となって、デジタルビデオカメラが一時停止するが、Ｂ社の製品であるときに、一時停止キーを操作すると、一時停止キーの操作は無視される。このため、複数種のデジタルビデオカメラを取り換えてＤＶＤレコーダに接続し、光ディスクにダビング等を行おうとする場合には、接続されるデジタルビデオカメラの機種に応じて、有効となるキースイッチを覚えておくか、あるいは、その都度、有効となるキースイッチを探す必要があって、デジタルビデオカメラの動作を制御する場合に、リモートコントローラの使い勝手が悪いものとなっている。
【０００７】
第２の従来技術は、リモコン画像をレーザディスク再生装置に対応付けられた子画面に移動すると、リモコン画像は、レーザディスク再生装置のためのリモートコントローラとして機能し、ビデオカセットレコーダに対応付けられた子画面に移動すると、リモコン画像は、ビデオカセットレコーダのためのリモートコントローラとして機能するようになっているが、リモコン画像におけるキースイッチは変化しない。すなわち、装置毎に（機種毎に）有効となるキースイッチを示すようにはなっていない。このため、第１の従来技術における問題を解決するための観点からは、適用することが困難な技術となっている。
【０００８】
第３の従来技術は、携帯型情報通信機にＧＵＩリモコン画面を表示し、この表示を見ながらタッチパネルを操作することによって、複数のＡＶ機器のそれぞれの動作を指示するようになっているが、複数のＡＶ機器のそれぞれについてのＧＵＩリモコン画面の詳細は示されていない。このため、第１の従来技術における問題を解決するための観点からは、適用することが困難な技術となっている。
【０００９】
本発明は、上記の問題点を解決するため創案されたものであり、その目的は、装置本体の動作に対する指示が入力される装置側リモコンを用いてデジタルビデオカメラの動作を指示するときに、デジタルビデオカメラに指示を与えることが可能なキースイッチの把握を容易にすることのでき、且つ、キースイッチの表示が不要となるときにはキースイッチの表示を停止させることのでき、且つ、受け付け不能なキースイッチが操作されたときには、受け付け可能なキースイッチをユーザに改めて知らせることのできるＤＶＤレコーダを提供することにある。
【００１０】
また本発明の目的は、装置本体の動作に対する指示が入力される装置側リモコンに設けられた複数のキースイッチのうち、デジタルビデオカメラが受け付け可能な動作に対応するキースイッチのみを、装置側リモコンのキースイッチの配置に対応する位置関係でもって表示装置に表示させることにより、装置側リモコンを用いてデジタルビデオカメラの動作を指示するときに、デジタルビデオカメラに指示を与えることが可能なキースイッチの把握を容易にすることのできる映像信号記録装置を提供することにある。
【００１１】
また上記目的に加え、デジタルビデオカメラに指示を与えことが可能なキースイッチの表示を停止可能とすることにより、キースイッチの表示が不要となるときにはキースイッチの表示を停止させることのできる映像信号記録装置を提供することにある。
【００１２】
また上記目的に加え、デジタルビデオカメラに指示を与えことが可能なキースイッチの表示を縮小表示に切り換え可能とすることにより、キースイッチの表示が画像表示の支障となる程度を低減することのできる映像信号記録装置を提供することにある。
【００１３】
また上記目的に加え、デジタルビデオカメラに指示を与えことが可能なキースイッチの表示を透過表示に切り換え可能とすることにより、キースイッチの表示が画像表示の支障となる程度を低減することのできる映像信号記録装置を提供することにある。
【００１４】
また上記目的に加え、受け付け不能なキースイッチが操作されたときには、受け付け可能なキースイッチをユーザに改めて知らせることのできる映像信号記録装置を提供することにある。
【課題を解決するための手段】
【００１５】
上記の課題を解決するため、本発明に係るＤＶＤレコーダは、通信経路を介して接続されたデジタルビデオカメラから、デジタルビデオカメラが受け付け可能なコマンドの一覧を取得する情報取得手段と、カメラ制御モードとなるときには、装置本体に対する指示が入力されるリモートコントローラである装置側リモコンに入力された指示をデジタルビデオカメラに対する指示であると見なして、装置側リモコンに入力された指示に対応する動作をデジタルビデオカメラに行わせるカメラ制御手段とを備えたＤＶＤレコーダに適用している。そして、装置側リモコンに設けられた複数のキースイッチのうちの前記コマンドの一覧に対応するキースイッチである一覧対応キースイッチのみを、装置側リモコンのキースイッチの配置に対応する位置関係でもって表示装置に表示させる表示制御手段と、装置側リモコンに設けられた表示切換キーとを備え、表示制御手段は、一覧対応キースイッチを表示装置に表示させているときに表示切換キーが操作されると一覧対応キースイッチの表示を停止させ、且つ、一覧対応キースイッチの表示を停止しているときに、装置側リモコンのキースイッチのうち、一覧対応キースイッチに属さないキースイッチが操作されると一覧対応キースイッチの表示を行わせるようになっている。
【００１６】
すなわち、表示装置に表示されるキースイッチは、キー操作が有効となるキースイッチであることを示す。従って、装置側リモコンに設けられた複数のキースイッチのうち、表示装置に表示されたキースイッチを操作すればよいことが判明する。且つ、一覧対応キースイッチの表示が不要であるときには、表示切換キーを操作して一覧対応キースイッチの表示を停止させることができる。且つ、一覧対応キースイッチの再度の表示は、受け付け可能となるキースイッチに対する注意をユーザに促すことになる。
【００１７】
また本発明に係る映像信号記録装置は、通信経路を介して接続されたデジタルビデオカメラから、デジタルビデオカメラが受け付け可能なコマンドの一覧を取得する情報取得手段と、カメラ制御モードとなるときには、装置本体の動作に対する指示が入力されるリモートコントローラである装置側リモコンに入力された指示をデジタルビデオカメラに対する指示であると見なして、装置側リモコンに入力された指示に対応する動作をデジタルビデオカメラに行わせるカメラ制御手段とを備えた映像信号記録装置に適用している。そして、装置側リモコンに設けられた複数のキースイッチのうちの前記コマンドの一覧に対応するキースイッチである一覧対応キースイッチのみを、装置側リモコンのキースイッチの配置に対応する位置関係でもって表示装置に表示させる表示制御手段を備えている。
【００１８】
すなわち、表示装置に表示されるキースイッチは、キー操作が有効となるキースイッチであることを示す。従って、装置側リモコンに設けられた複数のキースイッチのうち、表示装置に表示されたキースイッチを操作すればよいことが判明する。
【００１９】
また上記構成に加え、装置側リモコンに設けられた表示切換キーを備え、表示制御手段は、一覧対応キースイッチを表示装置に表示させているときに表示切換キーが操作されると一覧対応キースイッチの表示を停止させるようになっている。すなわち、一覧対応キースイッチの表示が不要であるときには、表示切換キーを操作して一覧対応キースイッチの表示を停止させることができる。
【００２０】
また上記構成に加え、装置側リモコンに設けられた表示切換キーを備え、表示制御手段は、一覧対応キースイッチを表示装置に表示させているときに表示切換キーが操作されると一覧対応キースイッチの表示サイズを小さくするようになっている。すなわち、一覧対応キースイッチの表示を常に参照する必要がないときには、表示切換キーを操作することでもって、一覧対応キースイッチの表示サイズを小さくすることができる。
【００２１】
また上記構成に加え、表示制御手段は、一覧対応キースイッチの表示サイズを小さくしているときに、装置側リモコンのキースイッチのうち、一覧対応キースイッチに属さないキースイッチが操作されると、一覧対応キースイッチの表示サイズを大きくするようになっている。すなわち、一覧対応キースイッチの表示のサイズを大きくすると、受け付け可能となるキースイッチに対する注意をユーザに促すことになる。
【００２２】
また上記構成に加え、装置側リモコンに設けられた表示切換キーを備え、表示制御手段は、一覧対応キースイッチを表示装置に表示させているときに表示切換キーが操作されると、一覧対応キースイッチの表示を背景が透過する透過表示とするようになっている。すなわち、一覧対応キースイッチの表示を常に参照する必要がないときには、表示切換キーを操作することでもって、一覧対応キースイッチの表示を、画像表示に余り支障とならない表示である透過表示とすることができる。
【００２３】
また上記構成に加え、表示制御手段は、一覧対応キースイッチの表示を透過表示としているときに、装置側リモコンのキースイッチのうち、一覧対応キースイッチに属さないキースイッチが操作されると、一覧対応キースイッチの表示を背景が透過しない表示に変更するようになっている。すなわち、一覧対応キースイッチの表示を背景が透過しない表示にすると、受け付け可能となるキースイッチに対する注意をユーザに促すことになる。
【発明の効果】
【００２４】
本発明によれば、装置側リモコンに設けられた複数のキースイッチのうち、コマンドの一覧に対応するキースイッチである一覧対応キースイッチのみを、装置側リモコンのキースイッチの配置に対応する位置関係でもって表示装置に表示させている。また、一覧対応キースイッチを表示装置に表示させているときに表示切換キーが操作されると一覧対応キースイッチの表示を停止させ、且つ、一覧対応キースイッチの表示を停止させているときに、一覧対応キースイッチに属さないキースイッチが操作されると一覧対応キースイッチの表示を行わせるようになっている。従って、装置側リモコンに設けられた複数のキースイッチのうち、表示装置に表示されたキースイッチを操作すればよいことが判明する。また、一覧対応キースイッチの表示が不要であるときには一覧対応キースイッチの表示を停止させることができる。また、一覧対応キースイッチの再度の表示は、受け付け可能となるキースイッチに対する注意をユーザに促すことになる。このため、装置側リモコンを用いてデジタルビデオカメラの動作を指示するときに、デジタルビデオカメラに指示を与えることが可能なキースイッチの把握を容易にすることができ、且つ、キースイッチの表示が不要となるときにはキースイッチの表示を停止させることができ、且つ、受け付け不能なキースイッチが操作されたときには、受け付け可能なキースイッチをユーザに改めて知らせることができる。
【００２５】
また本発明によれば、装置側リモコンに設けられた複数のキースイッチのうち、コマンドの一覧に対応するキースイッチである一覧対応キースイッチのみを、装置側リモコンのキースイッチの配置に対応する位置関係でもって表示装置に表示させている。従って、装置側リモコンに設けられた複数のキースイッチのうち、表示装置に表示されたキースイッチを操作すればよいことが判明するので、装置側リモコンを用いてデジタルビデオカメラの動作を指示するときに、デジタルビデオカメラに指示を与えることが可能なキースイッチの把握を容易にすることができる。つまり、装置側リモコンを用いてデジタルビデオカメラに動作の指示を与える場合、デジタルビデオカメラの機種が異なるときにも、デジタルビデオカメラに指示を与えることが可能なキースイッチの把握が容易となって、使用可能なキースイッチを探す必要が無くなるので、操作性が向上するという効果を得ることができる。
【００２６】
またさらに、一覧対応キースイッチを表示装置に表示させているときに表示切換キーが操作されると一覧対応キースイッチの表示を停止させるようになっている。従って、一覧対応キースイッチの表示が不要であるときには、一覧対応キースイッチの表示を停止させることができる。
【００２７】
またさらに、一覧対応キースイッチを表示装置に表示させているときに表示切換キーが操作されると一覧対応キースイッチの表示サイズを小さくするようになっている。従って、一覧対応キースイッチの表示を常に参照する必要がないときには、一覧対応キースイッチの表示サイズを小さくすることができるので、キースイッチの表示が画像表示の支障となる程度を低減することができる。
【００２８】
またさらに、一覧対応キースイッチの表示サイズを小さくしているときに、一覧対応キースイッチに属さないキースイッチが操作されると、一覧対応キースイッチの表示サイズを大きくするようになっている。すなわち、一覧対応キースイッチの表示サイズを大きくすると、受け付け可能となるキースイッチに対する注意をユーザに促すことになるので、受け付け不能なキースイッチが操作されたときには、受け付け可能なキースイッチをユーザに改めて知らせることができる。
【００２９】
またさらに、一覧対応キースイッチを表示装置に表示させているときに表示切換キーが操作されると、一覧対応キースイッチの表示を背景が透過する透過表示とするようになっている。従って、一覧対応キースイッチの表示を常に参照する必要がないときには、一覧対応キースイッチの表示を、画像表示に余り支障とならない表示である透過表示とすることができるので、キースイッチの表示が画像表示の支障となる程度を低減することのできる。
【００３０】
またさらに、一覧対応キースイッチの表示を、背景が透過する透過表示としているときに、一覧対応キースイッチに属さないキースイッチが操作されると、一覧対応キースイッチの表示を背景が透過しない表示に変更するようになっている。すなわち、背景が透過しない一覧対応キースイッチの表示は、受け付け可能となるキースイッチに対する注意をユーザに促すことになるので、受け付け不能なキースイッチが操作されたときには、受け付け可能なキースイッチをユーザに改めて知らせることができる。
【発明を実施するための最良の形態】
【００３１】
以下、本発明の実施の形態について図を参照して説明する。
【実施例１】
【００３２】
図１は、本発明に係る映像信号記録装置の第１の実施形態であるＤＶＤレコーダの電気的構成を示すブロック線図である。
【００３３】
図において、ＤＶＤレコーダの装置本体３１とデジタルビデオカメラ１とを接続するケーブル２ｃおよびコネクタ２ａ，２ｂは、ＩＥＥＥ１３９４として定めれた規格のケーブルおよびコネクタとなっている。そして、コネクタ２ａはケーブル２ｃの端部に設けられており、コネクタ２ｂはＤＶＤレコーダの装置本体３１の側に取り付けられている。
【００３４】
通信制御手段３は、ＩＥＥＥ１３９４としての規格に従った通信方法でもって、デジタルビデオカメラ１との間で通信を行う。そして、前記した通信において、デジタルビデオカメラ１から、受け付けが可能なコマンドの一覧を示す情報や機種を示す情報、等が出力されると、これらの情報を受け取ってマイクロコンピュータ１０に出力する。また、マイクロコンピュータ１０から出力される情報であり、デジタルビデオカメラ１の動作を指示する情報であるコマンド、等をデジタルビデオカメラ１に出力する。また、デジタルビデオカメラ１から出力されるデジタル映像信号（以下では再生映像信号と称する）をＤＶデコーダ４に送出する。
【００３５】
デジタルビデオカメラ１は、撮像された映像を示すデジタル映像信号を、内部にセットされたデジタルビデオテープ１２に記録する。また、デジタルビデオテープ１２に記録されたデジタル映像信号を再生するとともに、再生により得られたデジタル映像信号を、ケーブル２ｃ、コネクタ２ａ，２ｂを介して、通信制御手段３に出力する。
【００３６】
また、再生コマンドや早送りコマンドや巻き戻しコマンド等のような、デジタルビデオカメラとしての動作を示す種々のコマンドのうち、受け付けが可能なコマンドの一覧を通信制御手段３に出力する。そして、受け付けが可能なコマンドのうちの１つが、通信制御手段３を介して、装置本体３１の側から与えられたときには、コマンドにより示される動作を実行する。
【００３７】
ＤＶデコーダ（以下では、単にデコーダと称する）４は、デジタルビデオカメラ１から出力される映像信号が、ＤＶ規格（デジタルＶＴＲにおけるＳＤ仕様に沿った規格）のデジタル映像信号となっているため、デジタルビデオカメラ１から出力される映像信号をＤＶ規格に従って伸長する。そして、伸長して得られたデジタル映像信号をＭＰＥＧ２エンコーダ（以下では、単にエンコーダと称する）５に出力する。エンコーダ５は、デコーダ４より出力されるデジタル映像信号を符号化することによって、光ディスク規格のデジタル映像信号（ＭＰＥＧ２の規格に従って符号化された信号）を生成する。そして、生成したデジタル映像信号を記録再生信号回路６に出力する（オーディオ信号については、図示が省略されている）。
【００３８】
記録再生信号回路６は、記録時には、エンコーダ５から出力されるデジタル映像信号に基づいて、ピックアップ２２を駆動する駆動信号を生成し、ピックアップ２２に出力する。また、再生時には、ピックアップ２２より出力される信号からＲＦ信号を取り出して再生信号処理手段７に出力する。
【００３９】
ピックアップ２２は、記録時には、記録再生信号回路６から出力される駆動信号に従って、スピンドルモータ２１により回転駆動される光ディスク（ＤＶＤ−Ｒ等）２３にデジタル映像信号を書き込む。また、再生時には、光ディスク２３に記録されたデータを読み取って得られた信号を記録再生信号回路６に出力する（サーボ制御のための信号経路については、図示が省略されている）。
【００４０】
再生信号処理手段７は、記録再生信号回路６より出力されるＲＦ信号からデジタルデータを復号した後、エラー訂正を行う。次いで、エラー訂正することにより得られたビデオストリームを、ＭＰＥＧ２の規格に従って伸長した後、Ｄ／Ａ変換する。そして、Ｄ／Ａ変換により得られた信号であるアナログ映像信号をテレビ受像機１１に出力する。また、オーディオストリームを伸長した後、Ｄ／Ａ変換することによって得られたアナログ音声信号をテレビ受像機１１に出力する。
【００４１】
オンスクリーンディスプレイ回路（以下ではＯＳＤ回路と称する）２７は、マイクロコンピュータ１０からの指示に従った文字や絵柄を、再生信号処理手段７において生成される映像信号に重畳表示する。なお、このときに重畳表示される絵柄には、例えば、図４の５１や図５の５２により示すリモートコントローラの絵柄、等が含まれている。
【００４２】
入力手段８は、装置本体３１の前面パネルに設けられた複数のキースイッチ（図示を省略）や、リモートコントローラ９から送信される赤外線信号を受光する受光ユニット（図示を省略）等を備えたブロックとなっており、ユーザからの指示が入力される。そして、ユーザからの指示が入力されたときには、入力された指示をマイクロコンピュータ１０に送出する。
【００４３】
リモートコントローラ（装置側リモコン）９は、装置本体３１の動作に対する指示が入力されるリモートコントローラとなっている。すなわち、装置本体３１であるＤＶＤレコーダの動作に対する指示が入力されるリモートコントローラとなっている。
【００４４】
このため、図２に示すように、４つの基本動作に対応する再生キー４１１、速送りキー４１２、速戻しキー４１３、停止キー４１４、電源のオンオフを指示するための電源キー４２、図示されないチューナ部が受信する商用放送のチャンネル、等を指定するための１０個の数字キー４３、各種の設定を行うための設定キー４４、カーソルの移動、等に使用される４方向キー４５、カーソルが位置する項目を選択したことを入力するための決定キー４６、等を備えている。また、表示切換キー４７を備えている（後に詳述する）。また、その他のキースイッチ（符号『４８１』が付与されたキースイッチ、および、符号が付与されていないキースイッチ）を備えている。
【００４５】
マイクロコンピュータ１０は、ＤＶＤレコーダとしての主要動作を制御する。すなわち、デジタルビデオカメラ１から出力されるデジタル映像信号を光ディスク２３に記録するときには、デコーダ４の動作、エンコーダ５の動作を制御する。また、光ディスク２３に記録された映像信号を再生するときには、再生信号処理手段７の動作を制御する。また、機能の一部によって、情報取得手段２４、カメラ制御手段２５、および、表示制御手段２６を構成する。
【００４６】
情報取得手段２４は、通信制御手段３を介して得られた情報から、デジタルビデオカメラ１が受け付けることが可能なコマンドの一覧や機種名等を取得して内部に記憶する。
【００４７】
カメラ制御手段２５は、装置側リモコン９を用いてデジタルビデオカメラ１の動作を指示するモード（以下では、カメラ制御モードと称する）となる場合、装置側リモコン９に入力されたユーザの指示が、情報取得手段２４の内部に記憶されたコマンドの一覧に含まれる指示であるときには、入力された指示に対応するコマンドをデジタルビデオカメラ１に出力することによって、ユーザが指示した動作をデジタルビデオカメラ１に実行させる。
【００４８】
表示制御手段２６は、装置側リモコン９に設けられた複数のキースイッチのうち、情報取得手段２４の内部に記憶されたコマンドの一覧に対応するキースイッチ（以下では、一覧対応キースイッチと称する）のみを、装置側リモコン９のキースイッチの配置に対応する位置関係でもって、テレビ受像機（表示装置）１１に表示させる。また、一覧対応キースイッチをテレビ受像機１１に表示させているときに、表示切換キー４７が操作されると、一覧対応キースイッチの表示を停止させる。
【００４９】
図３は、装置側リモコン９を用いてデジタルビデオカメラ１の動作を制御する場合の実施形態の主要動作を示すフローチャートである。必要に応じて同図を参照しつつ、実施形態の動作を説明する。
【００５０】
いま、デジタルビデオカメラ１は装置本体３１に接続されていないとする。この状態において、設定キー４４を操作し、各種の設定のためのメニュー画面（図示を省略）を表示する。そして、表示されたメニュー画面を用いて、装置側リモコン９が、デジタルビデオカメラ１の動作の指示を入力するためのリモートコントローラとなるカメラ制御モード（ＤＶモード）に設定する（ステップＳ１）。次いで、デジタルビデオカメラ１を、ケーブル２ｃ、コネクタ２ａ、コネクタ２ｂを介して、装置本体３１に接続する（ステップＳ２）。
【００５１】
デジタルビデオカメラ１が装置本体３１に接続されると、通信制御手段３を介して、デジタルビデオカメラ１と情報取得手段２４との間で通信が開始され、デジタルビデオカメラ１からは、受け付けが可能なコマンドの一覧を示す情報、等が出力される。このため、情報取得手段２４は、デジタルビデオカメラ１から出力された受け付けが可能なコマンドの一覧を内部に記憶する（ステップＳ３）。
【００５２】
いま、デジタルビデオカメラ１から出力されるコマンドの一覧は、再生、速送り、速戻し、停止の４つの基本動作と、電源のオンオフの動作との５つの動作の受け付けが可能であることを示す一覧になっているとする。すなわち、外部からデジタルビデオカメラ１を制御することが可能な動作は、再生、速送り、速戻し、停止、電源のオンオフの５つの動作に限定されており、その他の動作の指示については、受け付けないようになっているとする。
【００５３】
情報取得手段２４によるコマンドの一覧の取得および記憶が完了すると、表示制御手段２６は、ＯＳＤ回路２７を制御することによって、コマンドの一覧に対応するキースイッチ（一覧対応キースイッチ）のみを有するリモコン画像をテレビ受像機１１に表示させる。すなわち、表示制御手段２６は、装置側リモコン９の画像をテレビ受像機１１に表示させるに際して、装置側リモコン９が有する複数のキースイッチのうち、一覧対応キースイッチについては表示させ、一覧対応キースイッチではないキースイッチについては、表示させないように制御する。その結果、テレビ受像機１１には、図４の５１に示したリモコン画像が表示される。
【００５４】
詳細には、テレビ受像機１１には、装置側リモコン９の本体を示す輪郭５１１が表示される。そして、この輪郭５１１の内部には、受け付けされる５つのキースイッチ（電源キー４２、再生キー４１１、速送りキー４１２、速戻しキー４１３、停止キー４１４）のそれぞれに対応する絵柄４２ａ、４１１ａ〜４１４ａが表示される（ステップＳ４）。また、絵柄４２ａ、４１１ａ〜４１４ａのそれぞれの表示位置は、装置側リモコン９におけるキースイッチ４２、４１１〜４１４のそれぞれの位置に対応している。従って、ユーザは、リモコン画像５１を見るだけで、直ちに、使用可能なキースイッチを把握することができる。
【００５５】
いま、図４の（Ａ）に示すように、リモコン画像５１が表示されている状態において、装置側リモコン９の再生キー４１１を操作すると、カメラ制御手段２５は、再生のコマンドを、通信制御手段３を介して、デジタルビデオカメラ１に出力する。このため、デジタルビデオカメラ１においては再生が開始され、テレビ受像機１１には、再生された画像が表示される（ステップＳ５〜Ｓ８）。なお、このときでは、リモコン画像５１は、図４（Ｂ）に示したように、再生される画像より手前に位置する画像として表示される。
【００５６】
また、一覧対応キースイッチのうち、その他のキースイッチを操作したときでは、操作したキースイッチに対応する動作が、デジタルビデオカメラ１において実行される。一方、リモコン画像５１が表示されているにもかかわらず、一覧対応キースイッチではないキースイッチを操作した場合、表示制御手段２６は、操作されたことが無効であることを示すメッセージを表示させる制御を行う（ステップＳ５〜Ｓ７，Ｓ９）。
【００５７】
以上のように、一覧対応キースイッチを示すリモコン画像５１を表示させた状態において、デジタルビデオカメラ１に、再生や速送り等の動作を行わせることができるが、リモコン画像５１の表示が煩わしい場合には、表示切換キー４７を操作する。表示切換キー４７が操作されると、表示制御手段２６は、リモコン画像５１の表示を停止させる（ステップＳ５，Ｓ６，Ｓ１１）。
【００５８】
リモコン画像５１の表示が停止された場合にも、一覧対応キースイッチが操作された場合には、操作されたキースイッチに対応する動作が、デジタルビデオカメラ１において実行される（ステップＳ１２〜Ｓ１５）。また、表示切換キー４７が操作されたときには、表示制御手段２６は、リモコン画像５１をテレビ受像機１１に表示させる（ステップＳ１２，Ｓ１３，Ｓ４）。そして後には、ステップＳ５以下の動作（既に述べた動作）が再開される。
【００５９】
一方、リモコン画像５１の表示が停止された状態において、一覧対応キースイッチとは異なるキースイッチ（表示切換キー４７を除く）が操作された場合、表示制御手段２６は、リモコン画像５１をテレビ受像機１１に表示させる（ステップＳ１２〜Ｓ１４，Ｓ１６）。そして、１秒等の短い時間が経過すると、リモコン画像５１の表示を停止する（ステップＳ１７，Ｓ１１）。そして、以後は、キー入力を待つループ動作に移行する（ステップＳ１２）。
【００６０】
いま、デジタルビデオカメラ１の接続が解除され、異なるデジタルビデオカメラ１００が接続されたとする。このときも、同様の動作が実行され、情報取得手段２４において、デジタルビデオカメラ１００から出力されたコマンドの一覧が記憶される。このコマンドの一覧においては、電源キー４２、再生キー４１１、速送りキー４１２、速戻しキー４１３、停止キー４１４の基本的な動作に対応するコマンドばかりではなく、その他の動作に対するコマンドの受け付けも可能であることが示されているとする。
【００６１】
すなわち、上記した５つのキースイッチに対応する動作の他に、装置側リモコン９における設定キー４４、４方向キー４５、決定キー４６のそれぞれに対応する動作の指示、および、４８１により示した複数のキースイッチのそれぞれに対応する動作の指示の受け付けが可能であることが示されているとする。このときでは、表示制御手段２６は、テレビ受像機１１に、図５に示すようなリモコン画像５２を表示させる。すなわち、装置側リモコン９における４２，４４〜４６により示したキースイッチ、４１１〜４１４に示したキースイッチ、および、４８１により示したキースイッチが使用可能であることが示される。
【００６２】
このときの動作も、図３に示した動作となり、リモコン画像５２において示されたキースイッチを操作したときでは、操作されたキースイッチは一覧対応キースイッチであるとして、操作されたキースイッチに対応する動作をデジタルビデオカメラ１００に実行させるための制御が行われる。
【００６３】
以上説明したように、デジタルビデオカメラ１とは受け付けが可能なコマンドの一覧が異なるデジタルビデオカメラ１００を接続した場合であっても、リモコン画像５２を見るのみで、どのキースイッチを操作すると、操作が受け付けられるのかを容易に把握することができるようになっている。
【実施例２】
【００６４】
以下に第２の実施形態について説明する。第２の実施形態は、電気的構成として示すときには、図１に示す構成と同一となり、表示制御手段２６の構成のみが異なる。このため、表示制御手段２６についてのみ、構成の説明を行う。
【００６５】
表示制御手段２６は、装置側リモコン９に設けられた複数のキースイッチのうち、情報取得手段２４の内部に記憶されたコマンドの一覧に対応するキースイッチ（一覧対応キースイッチ）のみを、装置側リモコン９のキースイッチの配置に対応する位置関係でもって、テレビ受像機（表示装置）１１に表示させる。また、一覧対応キースイッチをテレビ受像機１１に表示させているときに、表示切換キー４７が操作されると、一覧対応キースイッチ（リモコン画像）の表示サイズを小型化する。
【００６６】
上記構成からなる第２の実施形態の動作と第１の実施形態の動作との差異は、ステップＳ１１のみとなっている。すなわち、デジタルビデオカメラ１が接続されている場合、表示制御手段２６は、ステップＳ４においては、図４に示すリモコン画像５１をテレビ受像機１１に表示する。そして、ステップＳ１１となるときには、テレビ受像機１１に表示される画像の支障とならないように、リモコン画像５１を小型化したリモコン画像に変更する（図６の５３により示す）。また、一覧対応キースイッチとは異なるキースイッチが操作されたときには、ステップＳ４において表示したリモコン画像５１と同一の画像を表示する（ステップＳ１６）。
【実施例３】
【００６７】
以下に第３の実施形態について説明する。第３の実施形態は、電気的構成として示すときには、図１に示す構成と同一となり、表示制御手段２６の構成のみが異なる。このため、表示制御手段２６についてのみ、構成の説明を行う。
【００６８】
表示制御手段２６は、装置側リモコン９に設けられた複数のキースイッチのうち、情報取得手段２４の内部に記憶されたコマンドの一覧に対応するキースイッチ（一覧対応キースイッチ）のみを、装置側リモコン９のキースイッチの配置に対応する位置関係でもって、テレビ受像機（表示装置）１１に表示させる。また、一覧対応キースイッチをテレビ受像機１１に表示させているときに、表示切換キー４７が操作されると、一覧対応キースイッチ（リモコン画像）の表示を、背景が透過する透過表示とする。
【００６９】
上記構成からなる第３の実施形態の動作と第１の実施形態の動作との差異は、ステップＳ１１のみとなっている。すなわち、デジタルビデオカメラ１が接続されている場合、表示制御手段２６は、ステップＳ４においては、図４に示すリモコン画像５１をテレビ受像機１１に表示する。そして、ステップＳ１１となるときには、リモコン画像５１が、テレビ受像機１１に表示される画像の支障とならないように、リモコン画像５１を、背景が透過する透過画像に変更する（図７の５４により示す）。また、一覧対応キースイッチとは異なるキースイッチが操作されたときには、ステップＳ４において表示したリモコン画像５１と同一の画像を表示する（ステップＳ１６）。
【００７０】
なお、第１〜第３の実施形態において、カメラ制御モードとなっていないときに、デジタルビデオカメラ（１または１００）が接続されると、情報取得手段２４は、デジタルビデオカメラ（１または１００）から出力されるコマンドの一覧を取得し、内部に記憶する（ステップＳ２１，Ｓ２２）。一方、表示制御手段２６は、動作のモードが、通常モード（装置側リモコン９によって装置本体３１の動作の指示を行うモード）からカメラ制御モードに移行した時点で、リモコン画像（５１または５２）をテレビ受像機１１に表示させる制御を行う（ステップＳ２３）。そして、以後では、ステップＳ４の動作となる。
【００７１】
なお、本発明は上記実施形態に限定されず、ＤＶＤレコーダに適用した場合について説明したが、その他の記録媒体を用いる映像信号記録装置として、ハードディスクを記録媒体とする映像信号記録装置、等の場合にも、同様に適用することができる。
【図面の簡単な説明】
【００７２】
【図１】本発明に係る映像信号記録装置の一実施形態であるＤＶＤレコーダの電気的構成を示すブロック線図である。
【図２】装置側リモコンに設けられたキースイッチを示す説明図である。
【図３】装置側リモコンを用いてデジタルビデオカメラの動作を制御するときの実施形態の主要動作を示すフローチャートである。
【図４】表示装置に表示されるリモコン画像を示す説明図である。
【図５】表示装置に表示されるリモコン画像を示す説明図である。
【図６】表示装置に表示されるリモコン画像を示す説明図である。
【図７】表示装置に表示されるリモコン画像を示す説明図である。
【符号の説明】
【００７３】
１，１００  デジタルビデオカメラ
９  装置側リモコン
１１  テレビ受像機（表示装置）
２４  情報取得手段
２５  カメラ制御手段
２６  表示制御手段
４２ａ  一覧対応キースイッチの画像
４７  表示切換キー
５１〜５４  リモコン画像
４１１ａ〜４１４ａ  一覧対応キースイッチの画像
【図１】
2005176059.tif 000003
【図２】
2005176059.tif 000004
【図３】
2005176059.tif 000005
【図４】
2005176059.tif 000006
【図５】
2005176059.tif 000007
【図６】
2005176059.tif 000008
【図７】
2005176059.tif 000009